(57)【要約】【課題】  製造コストを低減させることができる照明灯を提供する。【解決手段】  本体４の前面開口部にランプ１０を覆うように取り付けられるガード１３は、複数のリング１４と複数の支骨１５とを組み合わせて構成される。ガード１３のリング１４のうち、本体４のフランジ部６に宛がわれる有端リング１６には一対の掛合部１７を曲げ加工により形成し、その有端リング１６から突出した２本の支骨１５の端部にＬ字形の引掛部１８を曲げ加工により一体形成する。ガード１３は、各引掛部１８をフランジ部６の各引掛孔８に挿入して回動させることにより引掛孔８に引掛けた後、一対の掛合部１７を掛合孔９に弾性的に掛合させることにより、本体４に着脱可能に取り付けられる。【選択図】  図１
2005149753.tif 000002
【特許請求の範囲】
【請求項１】
前面開口部に円環状のフランジ部を有し内部にランプが取り付けられる本体と、
前記前面開口部に着脱可能に取り付けられて前記ランプを覆うガードとを具備し、
前記ガードは、線材により形成された複数のリングと、同じく線材により形成され、これらリングに対して交差する方向に延びる複数本の支骨とを連結して構成され、
前記フランジ部に、引掛孔を形成すると共に、この引掛孔から離れた部位に掛合孔を形成し、
前記ガードのリングのうち、前記フランジ部に宛がわれるリングを有端とし、
前記ガードにおいて前記フランジ部に宛がわれる有端リングから突出した支骨の端部に、前記引掛孔に挿入されてフランジ部の周方向に回動されることに伴いこの引掛孔の縁部に係合する略Ｌ字形の引掛部を一体に形成し、
前記有端リングの両端部に、この有端リングの弾性的な縮径変形を伴って前記掛合孔の縁部に掛脱可能に掛合される一対の掛合部を一体に形成したことを特徴とする照明灯。
【発明の詳細な説明】
【技術分野】
【０００１】
本発明は、ランプを覆うガードを備えた照明灯に関する。
【背景技術】
【０００２】
従来より、この種の照明灯においては、図５に示す構成としたものがある。即ち、照明灯１００は、ソケットが組み込まれた本体ケース１０１の前部に反射カバー１０２を取り付けて本体１０３を構成し、この本体１０３の内部にランプ１０４を納め、本体１０３における反射カバー１０２の前面開口部に、三つのリング１０５と三つの支骨１０６とが組み合わされたランプ保護用のガード１０７が着脱可能に取り付けられて構成されている。
【０００３】
このガード１０７は、本体１０３の前面開口部に宛がわれるリング１０５が有端となっており、その有端リング１０５の両端部に掛合部１０８が形成され、この掛合部１０８とは反対側に位置して、枢着部１０９がリング１０５の径方向外側に突出するようにして溶接により取り付けられている。枢着部１０９は金属板をプレス加工して作られている。
本体ケース１０１前部の反射カバー１０２には、ガード１０７のリング１０５を宛がう円環状のフランジ部１１０が形成され、このフランジ部１１０に、一対の孔１１１，１１１が前面開口部の中心に対して対称に形成されている。
【０００４】
ガード１０７は、一方の孔１１１に枢着部１０９を挿入して引掛け、その枢着部１０９を支点にして一対の掛合部１０８側を他方の孔１１１に近づけるように回動させ、この後、他方の孔１１１に掛合部１０８を有端リング１０５の弾性的な収縮変形を伴って掛合させることにより着脱可能に取り付けられる。
【特許文献１】実公平６−９３７１号公報
【発明の開示】
【発明が解決しようとする課題】
【０００５】
従来例によれば、枢着部１０９をガード１０７のリング１０５に溶接により設けている。その枢着部１０９はガード１０７とは別部材であり、その分、部品点数が多く、また、ガード１０７に溶接する必要があるため面倒であり、総じて製造コストが高くなるという問題点があった。
本発明は上記事情に鑑みてなされたものであり、その目的は、製造コストを低減させることができる照明灯を提供するにある。
【課題を解決するための手段】
【０００６】
上記目的を達成するために、本発明の照明灯は、前面開口部に円環状のフランジ部を有し内部にランプが取り付けられる本体と、前記前面開口部に着脱可能に取り付けられて前記ランプを覆うガードとを具備し、前記ガードは、線材により形成された複数のリングと、同じく線材により形成され、これらリングに対して交差する方向に延びる複数本の支骨とを連結して構成され、前記フランジ部に、引掛孔を形成すると共に、この引掛孔から離れた部位に掛合孔を形成し、前記ガードのリングのうち、前記フランジ部に宛がわれるリングを有端とし、前記ガードにおいて前記フランジ部に宛がわれる有端リングから突出した支骨の端部に、前記引掛孔に挿入されてフランジ部の周方向に回動されることに伴いこの引掛孔の縁部に係合する略Ｌ字形の引掛部を一体に形成し、前記有端リングの両端部に、この有端リングの弾性的な縮径変形を伴って前記掛合孔の縁部に掛脱可能に掛合される一対の掛合部を一体に形成したことを特徴とする。
【発明の効果】
【０００７】
本発明の照明灯によれば、一対の掛合部をガードの有端リングに一体に形成し、また、引掛部をガードの支骨に一体に形成する構成としているので、組立工程数および部品点数を減らすことができ、製造コストを低減させることができるという効果を奏する。
【発明を実施するための最良の形態】
【０００８】
以下本発明の一実施例について図１ないし４を参照しながら説明する。
まず、図１および図２において、照明灯１は、アルミにより円筒形に形成された本体ケース２と、ドーム状に形成された反射カバー３とを合わせてねじ止めすることにより構成された本体４を具備している。前記反射カバー３の前面開口部（本体４の前面開口部）には、外周方向に突出した円環状のフランジ部６およびこのフランジ部６の外周より前方に立ち上がるエッジ部７が形成されている。このフランジ部６には、二つの引掛孔８，８と一つの掛合孔９とがそれぞれ離れた位置、この場合約１２０度間隔の位置に形成されている。これら引掛孔８および掛合孔９は、それぞれフランジ部６の周方向に長い長孔状をなしている。前記本体ケース２の底部には、給電コード１０に接続されたランプソケット１１が配設され、このランプソケット１１に、ランプ１２が着脱可能に装着されている。前記本体ケース２の外部の側面に取付部２ａが形成され、その取付部２ａには、据付用のバイス等を取り付けることができるようになっている。
【０００９】
照明灯１は、ランプ１２を覆うガード１３を具備している。前記ガード１３は、弾力のある金属線材を曲げ加工により直径の異なる円環状に形成された複数のリング１４と、このリング１４と同様に略コ字形に形成された複数本の支骨１５とが交差するよう溶接により組み合わされ、ドーム状に形成されている。
このガード１３のリング１４のうち、フランジ部６に宛がわれるリング１４は有端となっており、以下、このリング１４を有端リング１６と称する。この有端リング１６の両端部には、曲げ加工によりフランジ部６側に向けて突出するように一対の掛合部１７が一体に形成されている。これら一対の掛合部１７は略ハ字形をなすように形成されると共に、端部間の距離が掛合孔９よりやや大きくなるように設定されている。また、有端リング１６から外方へ突出した二本の支骨１５の端部には、有端リング１６の円周方向に向けて略Ｌ字形の引掛部１８が曲げ加工により一体形成されている。各引掛部１８は、上記引掛孔８に挿入可能な大きさに設定されている。この場合、一対の掛合部１７と、二箇所の引掛部１８とは、約１２０度間隔で配置されており、従って二箇所の引掛部１８は、掛合部１７から離間した位置に位置されている。
【００１０】
照明灯１は、本体４にガード１３を取り付けて構成され、本体ケース２の取付部２ａにバイス等を固定することにより使用される。
次に、本実施例の作用につき説明する。
ガード１３を本体４に取り付ける際の取付方法は以下のようにして行う。まず、図３に示すように、ガード１３の２箇所の各引掛部１８を、フランジ部６の対応する引掛孔８に挿入し（図３の二点鎖線参照）、この後、ガード１３を、フランジ部６の周方向に沿って矢印Ａ１方向に回動させることにより、各引掛部１８を対応する各引掛孔８の縁部に係合させる（図３の実線参照）。そして、図４に示すように、一対の掛合部１７を互いに近づける方向である矢印Ｂ１，Ｂ２の向きに指等で力を加えることにより弾性的に収縮変形させ、二点鎖線で示したように一対の掛合部１７間の距離を掛合孔９の長さより小さくした状態で、一対の掛合部１７を掛合孔９に挿入する。そして、一対の掛合部１７に対する収縮力を解除することにより、掛合部１７は、弾性復元力により広がり、掛合孔９の縁部に掛合する（図４の実線参照）。このようにして、鋭角的に曲げられたハ字形をなす一対の掛合部１７は掛合孔９の縁部の両端に掛着し掛合孔９から抜けなくなる。この時、引掛部１８，１８もＬ字形部により引掛孔８に係合しているため抜けなくなっており、ガード１３は本体４に確実に取り付けられる。
【００１１】
一方、ランプ１２を交換等するためにガード１３を取り外す場合には、上記の取付方法と逆の操作を行えばよい。即ち、図４に示すように、一対の掛合部１７を矢印Ｂ１，Ｂ２の方向に収縮変形させて、一対の掛合部１７間の距離を掛合孔９の長さより小さくした状態で、一対の掛合部１７を掛合孔９から引き抜く。そして、図３に示すように、ガード１３を矢印Ａ１とは反対の矢印Ａ２方向に回動させて、各引掛部１８のＬ字形部分を引掛孔８より引抜き可能となったところで引き抜くことにより、本体４からガード１３を完全に分離させることができるようになる。古いランプを新しいランプに交換した後、再び本体４にガード１３を取り付けるには、前述の取付方法にて取付けを行えばよい。
【００１２】
このように本実施例によれば、ガード１３を、二箇所の引掛部１８，１８と一対の掛合部１７とをフランジ部６の引掛孔８，８と掛合孔９に差し込むことにより取り付けるので、本体４に対して脱落することなくして確実に取り付けることができる。
一対の掛合部１７は、有端リング１６の両端部に曲げ加工することにより一体に形成し、また、各引掛部１８は、ガード１３の支骨１５の端部に曲げ加工により一体に形成するようにしたので、従来例にある枢着部１０９を新たな部品によりプレス加工で形成し溶接する必要もなく、組立工程数および部品点数を減らすことができ、総じて製造コストを低減させることができる。
【００１３】
さらに、ガード１３は、二つの略コ字形の支骨１５により形成されているため、従来の三つの支骨１０６により形成されている場合に比し、リング１４と支骨１５とを溶接するための組立工程数および部品点数を減らすことができ、製造コストをさらに低減させることが可能となる。
本発明は、上記した実施例にのみ限定されるものではなく、次のように変形または拡張することができる。引掛部１８は、一対の掛合部１７とは反対側に一箇所のみに設けてもよく、また、三箇所以上設けるようにしてもよい。
【図面の簡単な説明】
【００１４】
【図１】本発明の一実施例を示す要部の分解斜視図
【図２】照明灯全体の側面図
【図３】引掛部部分の拡大断面図
【図４】掛合部部分の拡大断面図
【図５】従来例を示す図１相当図
【符号の説明】
【００１５】
図面中、１は照明灯、２は本体ケース、３は反射カバー、４は本体、６はフランジ部、８は引掛孔、９は掛合孔、１２はランプ、１３はガード、１４はリング、１５は支骨、１６は有端リング、１７は掛合部、１８は引掛部を示す。
【図１】
2005149753.tif 000003
【図２】
2005149753.tif 000004
【図３】
2005149753.tif 000005
【図４】
2005149753.tif 000006
【図５】
2005149753.tif 000007